(57)【要約】      （修正有）【課題】コンテンツデータのファイル転送が終了した後に、転送したファイルの再生を行う場合でも、ユーザのイライラ感が可能な限り軽減されるようにする。【解決手段】コンテンツデータとこのコンテンツデータに付帯する情報である付帯情報とを含む付帯情報つきコンテンツデータを取得する。この付帯情報つきコンテンツデータのファイルを特定するファイル特定情報を取得して、このファイル特定情報に基づいて、再生曲リストを作成する。前記再生曲リスト作成手段で作成された前記再生曲リストに基づいて、再生すべき付帯情報つきコンテンツデータのファイル特定情報を取得し、この取得したファイル特定情報で特定されるファイルの付帯情報つきコンテンツデータの再生を行う。再生を行っている間に、前記付帯情報つきコンテンツデータの解析を行って、前記付帯情報を取得し、この取得した付帯情報を登録することにより、付帯情報リストを作成する。【選択図】図１
2007141374.tif 000002
【特許請求の範囲】
【請求項１】
コンテンツデータとこのコンテンツデータに付帯する情報である付帯情報とを含む付帯情報つきコンテンツデータを取得する、取得手段と、
前記取得手段で取得した前記付帯情報つきコンテンツデータがファイルとして格納される、第１格納手段と、
前記第１格納手段から前記付帯情報つきコンテンツデータのファイルを特定するファイル特定情報を取得して、このファイル特定情報に基づいて、再生曲リストを作成する、再生曲リスト作成手段と、
前記再生曲リスト作成手段で作成された前記再生曲リストに基づいて、再生すべき付帯情報つきコンテンツデータのファイル特定情報を取得し、この取得したファイル特定情報で特定されるファイルの付帯情報つきコンテンツデータの再生を行う、再生手段と、
前記再生手段が再生を行っている間に、前記第１格納手段に格納されている前記付帯情報つきコンテンツデータの解析を行って、前記付帯情報を取得し、この取得した付帯情報を登録することにより、付帯情報リストを作成する、付帯情報リスト作成手段と、
を備えることを特徴とする再生機器。
【請求項２】
前記再生曲リスト作成手段は、前記第１格納手段に格納されているすべての付帯情報つきコンテンツデータのファイルのファイル特定情報を取得して、このファイル特定情報を前記再生曲リストに登録する、ことを特徴とする請求項１に記載の再生機器。
【請求項３】
前記再生曲リストの少なくとも先頭については、登録する前記付帯情報つきコンテンツデータのファイルを、ユーザが選択する、選択手段を、さらに備えることを特徴とする請求項２に記載の再生機器。
【請求項４】
前記付帯情報リストに登録された前記付帯情報つきコンテンツデータを格納する、第２格納手段と、
前記付帯情報リストに登録された前記付帯情報つきコンテンツデータを、前記第１格納手段から前記第２格納手段にコピーする、コピー手段と、
前記再生手段による前記再生曲リストに基づく再生が終了した後に、前記第１格納手段に格納されている前記付帯情報つきコンテンツデータを削除する、削除手段と、
をさらに備え、
前記再生手段は、前記第１格納手段から前記付帯情報つきコンテンツデータを取得する、ことを特徴とする請求項１乃至請求項３のいずれかに記載の再生機器。
【請求項５】
前記付帯情報リストに登録されていない前記付帯情報つきコンテンツデータのファイルのファイル特定情報をすべて取得して、この取得したファイル特定情報に基づいて、登録対象リスト作成する、登録対象リスト作成手段を、さらに備えており、
前記付帯情報リスト作成手段は、前記登録対象リストに基づいて、前記付帯情報リストに登録すべき付帯情報つきコンテンツデータのファイル特定情報を取得して、この取得したファイル特定情報で特定されるファイルの付帯情報つきコンテンツデータの付帯情報を付帯情報リストに登録する、ことを特徴とする請求項１乃至請求項４のいずれかに記載の再生機器。
【請求項６】
コンテンツデータとこのコンテンツデータに付帯する情報である付帯情報とを含む付帯情報つきコンテンツデータを取得する、取得手段と、
前記取得手段で取得した前記付帯情報つきコンテンツデータがファイルとして格納される、第１格納手段と、
前記第１格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成する、付帯情報リスト作成手段と、
前記選択された付帯情報つきコンテンツデータを特定する情報を登録して、再生曲リストを作成する、再生曲リスト作成手段と、
前記再生曲リスト作成手段で作成された前記再生曲リストに基づいて、再生すべき付帯情報つきコンテンツデータを取得し、この取得した付帯情報つきコンテンツデータの再生を行う、再生手段と、
を備えることを特徴とする再生機器。
【請求項７】
前記再生手段が再生を行っている間に、前記付帯情報リストに登録されていない前記付帯情報つきコンテンツデータについて解析を行い、その付帯情報を前記付帯情報リストに追加で登録するとともに、前記付帯情報リストに登録した付帯情報つきコンテンツデータを特定する情報を前記再生曲リストに追加で登録する、追加登録手段を、さらに備えることを特徴とする請求項６に記載の再生機器。
【請求項８】
前記再生手段と前記追加登録手段とが、同時に前記再生曲リストにアクセスしないように調停を行う、調停手段を、さらに備えることを特徴とする請求項７に記載の再生機器。
【請求項９】
前記付帯情報リストに登録された前記付帯情報つきコンテンツデータを格納する、第２格納手段と、
前記付帯情報リストに登録された前記付帯情報つきコンテンツデータを、前記第１格納手段から前記第２格納手段に移動する、移動手段と、
をさらに備え、
前記再生手段は、前記第２格納手段から前記付帯情報つきコンテンツデータを取得する、ことを特徴とする請求項６乃至請求項８のいずれかに記載の再生機器。
【請求項１０】
コンテンツデータとこのコンテンツデータに付帯する情報である付帯情報とを含む付帯情報つきコンテンツデータを取得するステップと、
前記取得した前記付帯情報つきコンテンツデータを格納手段にファイルとして格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を備えることを特徴とする再生機器の制御方法。
【請求項１１】
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を備えることを特徴とする再生機器の制御方法。
【請求項１２】
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を再生機器に実行させるためのプログラム。
【請求項１３】
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を再生機器に実行させるためのプログラム。
【請求項１４】
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を再生機器に実行させるためのプログラムが記録された記録媒体。
【請求項１５】
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を再生機器に実行させるためのプログラムが記録された記録媒体。
【発明の詳細な説明】
【技術分野】
【０００１】
本発明は、再生機器に関し、特に、コンテンツデータとこのコンテンツデータに付帯する情報である付帯情報とを含む付帯情報つきコンテンツデータの再生を行う再生機器に関する。
【背景技術】
【０００２】
パーソナルコンピュータなどのセンター機器から、音楽や静止画、動画などのファイルを、携帯型ストレージなどの再生機器に転送して、この転送した再生機器でファイルを再生する使用態様が広く普及してきている。このようなセンター機器と再生機器とから構成されるコンテンツデータ転送システムにおいては、センター機器のハードディスクドライブに多数のファイルが格納されているとともに、このファイルは、コンテンツデータと、このコンテンツデータの内容などを表す付帯情報とにより、構成されている。
【０００３】
ファイルをセンター機器から再生機器に転送する際には、センター機器と再生機器との間は、ＵＳＢ（Universal Serial Bus）規格により、接続されることが多い。このＵＳＢ規格においては、このファイル転送には、汎用のマスストレージ接続が用いられる。
【０００４】
このマスストレージ接続は、センター機器のファイル管理システムが再生機器のハードディスクドライブを直接アクセスするので、再生機器のファイル管理システムはファイル転送に関与しない。このため、再生機器は、ファイル転送中には、どのようなファイルアクセスが発生したのかを、窺い知ることができない。
【０００５】
マスストレージ接続が終了して、再生機器のファイル管理システムがハードディスクドライブのファイル管理ができるようになると、再生機器は付帯情報つきコンテンツデータの中から付帯情報を取り出して、コンテンツデータの付帯情報リストを生成する。この付帯情報リストは付帯情報の中から必要な情報を抽出してリスト化したものである。再生機器は、付帯情報リストに格納されている情報を用いて、コンテンツデータの選択をユーザに行わせる選択画面を表示することで、小さい画面表示や、少ないボタンで、使いやすい操作環境を提供している。このような付帯情報を含むコンテンツデータの構成や管理テーブルの生成については、例えば、特開２００４−１７１６８４号公報（特許文献１）にも開示されている。
【特許文献１】特開２００４−１７１６８４号公報
【発明の開示】
【発明が解決しようとする課題】
【０００６】
しかしながら、このようなコンテンツデータ転送システムにおいては、転送すべきコンテンツデータのファイルが大量にあると、ファイルの転送が終了したとしても、再生機器が付帯情報を取り出して付帯情報リストを生成するために長い時間がかかってしまう。このため、ユーザが転送されたコンテンツデータを再生しようとしても、再生が開始されるまでに長い待ち時間が発生してしまい、ユーザにイライラ感が生じてしまうという問題が生じる。
【０００７】
そこで本発明は、前記課題に鑑みてなされたものであり、コンテンツデータのファイル転送が終了した後に、転送したファイルの再生を行う場合でも、ユーザのイライラ感が可能な限り軽減されるようにした、再生機器を提供することを目的とする。
【課題を解決するための手段】
【０００８】
上記課題を解決するため、本発明に係る再生機器は、
コンテンツデータとこのコンテンツデータに付帯する情報である付帯情報とを含む付帯情報つきコンテンツデータを取得する、取得手段と、
前記取得手段で取得した前記付帯情報つきコンテンツデータがファイルとして格納される、第１格納手段と、
前記第１格納手段から前記付帯情報つきコンテンツデータのファイルを特定するファイル特定情報を取得して、このファイル特定情報に基づいて、再生曲リストを作成する、再生曲リスト作成手段と、
前記再生曲リスト作成手段で作成された前記再生曲リストに基づいて、再生すべき付帯情報つきコンテンツデータのファイル特定情報を取得し、この取得したファイル特定情報で特定されるファイルの付帯情報つきコンテンツデータの再生を行う、再生手段と、
前記再生手段が再生を行っている間に、前記第１格納手段に格納されている前記付帯情報つきコンテンツデータの解析を行って、前記付帯情報を取得し、この取得した付帯情報を登録することにより、付帯情報リストを作成する、付帯情報リスト作成手段と、
を備えることを特徴とする。
【０００９】
この場合、前記再生曲リスト作成手段は、前記第１格納手段に格納されているすべての付帯情報つきコンテンツデータのファイルのファイル特定情報を取得して、このファイル特定情報を前記再生曲リストに登録するようにしてもよい。
【００１０】
この場合、再生機器は、前記再生曲リストの少なくとも先頭については、登録する前記付帯情報つきコンテンツデータのファイルを、ユーザが選択する、選択手段を、さらに備えるようにしてもよい。
【００１１】
また、再生機器は、
前記付帯情報リストに登録された前記付帯情報つきコンテンツデータを格納する、第２格納手段と、
前記付帯情報リストに登録された前記付帯情報つきコンテンツデータを、前記第１格納手段から前記第２格納手段にコピーする、コピー手段と、
前記再生手段による前記再生曲リストに基づく再生が終了した後に、前記第１格納手段に格納されている前記付帯情報つきコンテンツデータを削除する、削除手段と、
をさらに備え、
前記再生手段は、前記第１格納手段から前記付帯情報つきコンテンツデータを取得するようにしてもよい。
【００１２】
また、再生機器は、前記付帯情報リストに登録されていない前記付帯情報つきコンテンツデータのファイルのファイル特定情報をすべて取得して、この取得したファイル特定情報に基づいて、登録対象リスト作成する、登録対象リスト作成手段を、さらに備えており、
前記付帯情報リスト作成手段は、前記登録対象リストに基づいて、前記付帯情報リストに登録すべき付帯情報つきコンテンツデータのファイル特定情報を取得して、この取得したファイル特定情報で特定されるファイルの付帯情報つきコンテンツデータの付帯情報を付帯情報リストに登録するようにしてもよい。
【００１３】
本発明に係る再生機器は、
コンテンツデータとこのコンテンツデータに付帯する情報である付帯情報とを含む付帯情報つきコンテンツデータを取得する、取得手段と、
前記取得手段で取得した前記付帯情報つきコンテンツデータがファイルとして格納される、第１格納手段と、
前記第１格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成する、付帯情報リスト作成手段と、
前記選択された付帯情報つきコンテンツデータを特定する情報を登録して、再生曲リストを作成する、再生曲リスト作成手段と、
前記再生曲リスト作成手段で作成された前記再生曲リストに基づいて、再生すべき付帯情報つきコンテンツデータを取得し、この取得した付帯情報つきコンテンツデータの再生を行う、再生手段と、
を備えることを特徴とする。
【００１４】
この場合、再生機器は、前記再生手段が再生を行っている間に、前記付帯情報リストに登録されていない前記付帯情報つきコンテンツデータについて解析を行い、その付帯情報を前記付帯情報リストに追加で登録するとともに、前記付帯情報リストに登録した付帯情報つきコンテンツデータを特定する情報を前記再生曲リストに追加で登録する、追加登録手段を、さらに備えるようにしてもよい。
【００１５】
この場合、再生機器は、前記再生手段と前記追加登録手段とが、同時に前記再生曲リストにアクセスしないように調停を行う、調停手段を、さらに備えるようにしてもよい。
【００１６】
また、再生機器は、
前記付帯情報リストに登録された前記付帯情報つきコンテンツデータを格納する、第２格納手段と、
前記付帯情報リストに登録された前記付帯情報つきコンテンツデータを、前記第１格納手段から前記第２格納手段に移動する、移動手段と、
をさらに備え、
前記再生手段は、前記第２格納手段から前記付帯情報つきコンテンツデータを取得するようにしてもよい。
【００１７】
本発明に係る再生機器の制御方法は、
コンテンツデータとこのコンテンツデータに付帯する情報である付帯情報とを含む付帯情報つきコンテンツデータを取得するステップと、
前記取得した前記付帯情報つきコンテンツデータを格納手段にファイルとして格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を備えることを特徴とする。
【００１８】
本発明に係る再生機器の制御方法は、
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を備えることを特徴とする。
【００１９】
本発明に係るプログラムは、
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を再生機器に実行させることを特徴とする。
【００２０】
本発明に係るプログラムは、
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を再生機器に実行させることを特徴とする。
【００２１】
本発明に係る記録媒体は、
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段から前記付帯情報つきコンテンツデータのファイルを特定するファイル特定情報を取得して、このファイル特定情報に基づいて、再生曲リストを作成するステップと、
前記再生曲リストに基づいて、再生すべき付帯情報つきコンテンツデータのファイル特定情報を取得し、この取得したファイル特定情報で特定されるファイルの付帯情報つきコンテンツデータの再生を行うステップと、
前記再生を行っている間に、前記格納手段に格納されている前記付帯情報つきコンテンツデータの解析を行って、前記付帯情報を取得し、この取得した付帯情報を登録することにより、付帯情報リストを作成するステップと、
を再生機器に実行させるためのプログラムが記録されたことを特徴とする。
【００２２】
本発明に係る記録媒体は、
コンテンツデータとこのコンテンツデータに付帯する情報である付帯情報とを含む付帯情報つきコンテンツデータを取得するステップと、
前記取得した前記付帯情報つきコンテンツデータをファイルとして格納手段に格納するステップと、
前記格納手段に格納されている前記付帯情報つきコンテンツデータのうちの１つを選択し、この選択された付帯情報つきコンテンツデータの解析を行って、前記付帯情報を取得し、この取得した付帯情報を登録することにより、付帯情報リストを作成するステップと、
前記選択された付帯情報つきコンテンツデータを特定する情報を登録して、再生曲リストを作成するステップと、
前記作成された前記再生曲リストに基づいて、再生すべき付帯情報つきコンテンツデータを取得し、この取得した付帯情報つきコンテンツデータの再生を行うステップと、
を再生機器に実行させるためのプログラムが記録されたことを特徴とする。
【発明を実施するための最良の形態】
【００２３】
以下、図面を参照して、本発明の実施形態を説明する。なお、以下に説明する実施形態は、本発明の技術的範囲を限定するものではない。
【００２４】
〔第１実施形態〕
図１は、第１実施形態に係るコンテンツデータ転送システム１００の構成を説明するためのブロック図である。この図１に示すように、本実施形態に係るコンテンツデータ転送システム１００は、センター機器１１０と再生機器１２０とを備えて構成されている。センター機器１１０は、例えば、ディスクトップ型やノート型などのパーソナルコンピュータなどにより構成される。再生機器１２０は、例えば、小型の携帯型ストレージなどにより構成される。
【００２５】
センター機器１１０は、例えば、ＣＰＵ（Central Processing Unit）１３０と、ＲＡＭ（Random Access Memory）１３２と、ＲＯＭ（Read Only Memory）１３４と、ハードディスクドライブ１３６と、通信用インターフェース１３８とを備えており、これらは内部バス１４０を介して相互に接続されている。
【００２６】
再生機器１２０も、例えば、ＣＰＵ（Central Processing Unit）１５０と、ＲＡＭ（Random Access Memory）１５２と、ＲＯＭ（Read Only Memory）１５４と、ハードディスクドライブ１５６と、通信用インターフェース１５８と、ディスプレイ１６０とを備えており、これらは内部バス１６２を介して相互に接続されている。
【００２７】
本実施形態においては、通信用インターフェース１３８と通信用インターフェース１５８とは、ＵＳＢ（Universal Serial Bus）インターフェースにより構成されており、これら通信用インターフェース１３８と通信用インターフェース１５８との間は、ＵＳＢケーブル１７０により接続されている。
【００２８】
図２は、センター機器１１０のハードディスクドライブ１３６に格納されている付帯情報つきコンテンツデータの構成の一例を説明する図である。この図２に示すように、付帯情報つきコンテンツデータは、コンテンツデータと、このコンテンツデータの付帯情報とを少なくとも含んで構成されている。
【００２９】
コンテンツデータは、音楽データ、静止画データ、動画データなどのデジタルデータが例として考えられる。本実施形態においては、これらコンテンツデータと付帯情報とを含む付帯情報つきコンテンツデータで、１つのファイルを構成している。
【００３０】
本実施形態においては、この付帯情報つきコンテンツデータがファイルとして、センター機器１１０から再生機器１２０に転送され、再生機器１２０は、この転送された付帯情報つきコンテンツデータのファイルを取得して、ハードディスクドライブ１５６にファイルとして格納する。
【００３１】
図２の例では、コンテンツデータが音楽データである場合の付帯情報つきコンテンツデータを示している。このため、図２においては、この付帯情報つきコンテンツデータに、付帯情報として、識別子、曲名、アーティスト、ジャンル、アルバム、コーディック形式が格納されている。付帯情報には、ここに例示したものに限らず、これ以外の情報を保持していてもよいし、ここの挙げたいくつかの項目を省いてもよい。なお、以下の説明においては、コンテンツデータが音楽ファイルである場合を例にして、説明をする。
【００３２】
次に、ユーザが音楽ファイルをセンター機器１１０から再生機器１２０に転送した後に、再生機器１２０で行われる処理について説明する。ここでは、音楽ファイルの転送を終えた後に、付帯情報リストへの登録が行われていない状態で、ユーザが、転送した音楽ファイルの再生を、再生機器１２０に指示した場合を想定する。この場合、ユーザのストレスを軽減するためには、転送した音楽ファイルの再生が可及的に短い時間で開始される必要がある。
【００３３】
図３は、ユーザが再生機器１２０に、付帯情報リストに登録されていない音楽ファイルの再生を指示した場合に起動される再生起動処理である。本実施形態に係る再生機器１２０においては、付帯情報リストが作成されている通常の音楽ファイルの再生と、まだ付帯情報リストが作成されていない音楽ファイルの再生とを、ユーザが選択的に指示できる。このため、音楽ファイルをセンター機器１１０から再生機器１２０に転送した後、直ちに、転送した音楽ファイルの再生をしたいユーザは、付帯情報リストの作成されていない音楽データの再生を、再生機器１２０に指示する。
【００３４】
また、本実施形態においては、この再生起動処理は、ＲＯＭ１５４又はハードディスクドライブ１５６に格納された再生起動プログラムをＣＰＵ１５０が読み込んで実行することにより、実現される処理である。
【００３５】
図３に示すように、この再生起動処理が実行されると、まず、付帯情報リストに未登録の付帯情報つきコンテンツデータがあるかどうかを判断する（ステップＳ１００）。図４に示すように、本実施形態に係る再生機器１２０のハードディスクドライブ１５６においては、付帯情報リストに登録されていない付帯情報つきコンテンツデータが格納されるホルダと、登録済みの付帯情報つきコンテンツデータが格納されるフォルダは、分かれている。すなわち、登録されていない付帯情報つきコンテンツデータは、「未登録」のフォルダに格納され、登録された付帯情報つきコンテンツデータは「登録済み」のフォルダに格納される。換言すれば、センター機器１１０から転送された付帯情報つきコンテンツデータは、そのまま、ハードディスクドライブ１５６の「未登録」のフォルダに格納されることとなる。
【００３６】
したがって、ステップＳ１００においては、再生機器１２０は、この「未登録」のフォルダに付帯情報つきコンテンツデータのファイルが１つでも存在するかどうかを判断する。
【００３７】
このステップＳ１００において、未登録の付帯情報つきコンテンツデータがないと判断した場合（ステップＳ１００：ＮＯ）には、ユーザに、未登録の付帯情報つきコンテンツデータがない旨を、音声や画面表示で通知して（ステップＳ１０２）、この再生起動処理を終了する。
【００３８】
一方、未登録の付帯情報つきコンテンツデータがあると判断した場合（ステップＳ１００：ＹＥＳ）には、未登録の付帯情報つきコンテンツデータに基づいて、登録対象リストを作成する（ステップＳ１０４）。具体的には、再生機器１２０は、「未登録」のフォルダを検索して、この「未登録」のフォルダに格納されているファイルのすべてを、登録対象リストに登録する。
【００３９】
図５は、このとき作成された登録対象リストＴＢ１０の一例を示す図である。この図５に示すように、登録対象リストＴＢ１０には、「未登録」のフォルダに格納されているファイルのファイル名、サイズ、ファイル日時が登録され、格納される。したがって、この登録対象リストＴＢ１０を作成する際には、ファイルの内容を参照する必要はなく、極めて短い時間で作成することが可能である。なお、登録対象リストＴＢ１０に登録すべき項目は、少なくともファイル名を含んでいれば、他の項目は省いてもよい。すなわち、少なくともファイルを特定できる情報が、登録対象リストＴＢ１０に登録されていれば足りる。
【００４０】
次に、図３に示すように、再生機器１２０は、登録対象リストＴＢ１０に基づいて、再生曲リストを作成する（ステップＳ１０６）。図６は、このステップＳ１０６で作成される再生曲リストＴＢ２０の一例を示す図である。この図６に示すように、再生曲リストＴＢ２０には、再生すべき曲のファイル名が格納される。
【００４１】
したがって、ステップＳ１０６においては、再生機器１２０は、登録対象リストＴＢ１０からファイル名を抜き出して、再生曲リストＴＢ２０に登録することにより、極めて短い時間で生成される。
【００４２】
次に、図３に示すように、再生機器１２０は、再生処理と付帯情報リスト作成処理とを起動する（ステップＳ１０８）。本実施形態においては、再生処理と付帯情報リスト作成処理は、並列に実行される。これら２つの処理を起動することにより、この再生起動処理は終了する。
【００４３】
次に、図７に基づいて、ステップＳ１０８で起動された再生処理の内容について、説明する。この図７は、本実施形態に係る再生機器１２０で実行される再生処理の内容を説明するフローチャートを示す図である。本実施形態においては、この再生処理は、ＲＯＭ１５４又はハードディスクドライブ１５６に格納されている再生プログラムを、ＣＰＵ１５０が読み込んで実行することにより実現される処理である。
【００４４】
この図７に示すように、再生機器１２０は、まず、再生曲リストＴＢ２０に基づいて、再生曲を１曲、選択する（ステップＳ１２０）。本実施形態においては、再生曲リストＴＢ２０の上から順番に、１曲のファイルを選択することとしている。
【００４５】
次に、再生機器１２０は、選択した曲の再生を開始する（ステップＳ１２２）。具体的には、未登録の付帯情報つきコンテンツデータは、「未登録」のフォルダに格納されているので、再生機器１２０は、ステップＳ１２０で選択したファイル名のファイルを、「未登録」のフォルダを検索して探し出す。そして、探し出したファイルの付帯情報つきコンテンツデータを読み出し、再生を行っていく。この付帯情報つきコンテンツデータの読み出しは、所定の大きさのデータ量に区切って行われる。このため、ハードディスクドライブ１５６へのアクセスは、間欠的に行われることとなる。
【００４６】
選択したファイルの再生が完了すると、再生機器１２０は、再生曲リストＴＢ２０にあるすべての曲を再生したかどうかを判断する（ステップＳ１２４）。すべての曲を再生していない場合（ステップＳ１２４：ＮＯ）、すなわち、まだ再生していない曲が残っている場合には、上述したステップＳ１２０に戻り、再生曲リストＴＢ２０から次に再生する曲を選択して、再生を続ける。
【００４７】
一方、再生曲リストＴＢ２０にあるすべての曲を再生し終えたと判断した場合（ステップＳ１２４：ＹＥＳ）には、再生機器１２０は、この再生処理を終了する。
【００４８】
この図７に示した再生処理を実行している間、ＣＰＵ１５０には、空き時間が生じることがある。例えば、音楽を再生する場合には、ＣＰＵ１５０は、２〜５秒に１回程度の割合で、ハードディスクドライブ１５６に格納されているファイルにアクセスして音楽データを読み出して、これを復号すれば足りる。したがって、この空いている時間を利用して、再生機器１２０は、付帯情報リスト作成処理を実行する。なお、再生処理においては、付帯情報リストＴＢ３０をアクセスする必要がない。このため、付帯情報リストＴＢ３０が用いられていない再生処理の間を利用して、付帯情報リスト作成処理を実行しても問題が生じないのである。
【００４９】
図８は、本実施形態に係る再生機器１２０が実行する付帯情報リスト作成処理の内容を説明するためのフローチャートを示す図である。本実施形態においては、この図８に示す付帯情報リスト作成処理は、ＲＯＭ１５４又はハードディスクドライブ１５６に格納されている付帯情報リスト作成プログラムを、ＣＰＵ１５０が読み込んで実行することにより実現される処理である。
【００５０】
この図８に示すように、再生機器１２０は、登録対象リストＴＢ１０に基づいて、付帯情報リストに登録するファイルを１つ選択する（ステップＳ１４０）。本実施形態においては、登録対象リストＴＢ１０の上から順番に１つ選択する。
【００５１】
次に、再生機器１２０は、選択したファイルをハードディスクドライブ１５６の「未登録」のフォルダから読み出して、付帯情報を取得する（ステップＳ１４２）。すなわち、選択したファイルの付帯情報つきコンテンツデータの内容を解析して、この付帯情報つきコンテンツデータに含まれている付帯情報を読み出す。
【００５２】
次に、再生機器１２０は、読み出した付帯情報を、付帯情報リストに追加する（ステップＳ１４４）。図９は、本実施形態に係る付帯情報リストＴＢ３０の一例を示す図である。この図９に示すように、本実施形態においては、曲名、アーティスト、ジャンル、アルバム、コーディック形式が付帯情報として付帯情報つきコンテンツデータから読み出されて、付帯情報リストＴＢ３０に格納される。このため、本実施形態においては、付帯情報リストＴＢ３０は、曲名、アーティスト、ジャンル、アルバム、コーディック形式とを備えて構成されている。さらに、本実施形態においては、付帯情報リストＴＢ３０には、各ファイルの番号と、ファイルパスとが格納される。番号は、ファイルを整理するための連続番号が割り当てられており、ファイルパスには、そのファイルにアクセスするために必要な情報として、ファイルパス（いわゆるフルパス）が格納される。
【００５３】
次に、再生機器１２０は、付帯情報リストＴＢ３０に登録したファイルを、「未登録」のフォルダから「登録済み」のフォルダにコピーする（ステップＳ１４６）。ここで、ファイルを削除にせずに、コピーにするのは、「未登録」のフォルダに格納されているファイルを用いて、再生処理により音楽を再生しているためである。
【００５４】
次に、再生機器１２０は、登録対象リストＴＢ１０にあるすべてのファイルを、付帯情報リストＴＢ３０に登録したかどうかを判断する（ステップＳ１４８）。すべてのファイルを登録していない場合（ステップＳ１４８：ＮＯ）には、上述したステップＳ１４０に戻って、次のファイルを選択し、付帯情報を付帯情報リストＴＢ３０に登録する処理を繰り返す。この処理を繰り返すことにより、本実施形態においては、図９に示すような内容の付帯情報リストＴＢ３０が作成される。
【００５５】
一方、登録対象リストＴＢ１０にあるすべてのファイルを付帯情報リストＴＢ３０に登録した場合（ステップＳ１４８：ＹＥＳ）には、再生処理における再生曲リストＴＢ２０にあるファイルの再生がすべて終了したかどうかを判断する（ステップＳ１５０）。再生処理が終了していない場合（ステップＳ１５０：ＮＯ）には、このステップＳ１５０の処理を繰り返して待機する。
【００５６】
一方、再生処理が終了した場合（ステップＳ１５０：ＹＥＳ）、すなわち、再生曲リストＴＢ２０にあるすべてのファイルの再生が終了した場合には、「未登録」のフォルダにあるファイルをすべて削除する（ステップＳ１５２）。すなわち、再生処理においては、「未登録」のフォルダに格納されているファイルを用いて、音楽再生をしているので、この再生処理がすべて終わるまで、「未登録」のフォルダにあるファイルを削除しないようにしているのである。そして、この再生処理が終了した時点で、この「未登録」のフォルダにあるファイルを削除する。
【００５７】
これにより、図４に示したファイル構成は、図１０に示すような構成となる。すなわち、「未登録」のフォルダにあったファイルの付帯情報リストＴＢ３０への登録が終了したので、「未登録」のフォルダのファイルは無くなり、「登録済み」のフォルダに移動した形となる。
【００５８】
以上のように、本実施形態に係る再生機器１２０によれば、新たにセンター機器１１０から再生機器１２０に転送した付帯情報つきコンテンツデータが、付帯情報リストＴＢ３０に登録されていなくとも、再生を開始することができるようにしたので、ユーザの利便性を向上させて、イライラ感を減少させることができる。すなわち、付帯情報リストＴＢ３０への登録は、付帯情報つきコンテンツデータのファイルを一旦開いて、内容を解析した上で、付帯情報を取り出すので、それ相応の時間が必要となる。このため、本実施形態においては、付帯情報を読み出すことなく、再生曲リストＴＢ２０を作成し、この再生曲リストＴＢ２０に基づいて再生を開始することとしたので、ファイル転送後に速やかに再生を始めることができる。
【００５９】
〔第２実施形態〕
上述した第１実施形態においては、ユーザがどの曲から再生を開始するかを選択できなかったが、第２実施形態においては、ファイル名に基づいて、少なくとも最初に再生する曲のファイルについては選択ができるようにしたものである。以下、上述した第１実施形態と異なる部分を説明する。
【００６０】
図１１は、本実施形態に係る再生起動処理の内容を説明するフローチャートを示す図であり、上述した第１実施形態における図３に対応する図である。この再生起動処理は、センター機器１１０から音楽ファイルの転送を終了した後に、ユーザが、付帯情報リストＴＢ３０の作成されていない音楽データの再生を、再生機器１２０に指示した場合に起動される処理である。
【００６１】
また、本実施形態においては、この再生起動処理は、ＲＯＭ１５４又はハードディスクドライブ１５６に格納された再生起動プログラムをＣＰＵ１５０が読み込んで実行することにより、実現される処理である。
【００６２】
図１１に示すように、ステップＳ１００及びステップＳ１０２の処理は、上述した第１実施形態と同様である。
【００６３】
但し、ステップＳ１００で付帯情報リストＴＢ３０に登録していない付帯情報つきコンテンツデータがあると判断した場合（ステップＳ１００：ＹＥＳ）には、再生機器１２０は、再生ファイル選択画面をディスプレイ１６０に表示する（ステップＳ２００）。
【００６４】
図１２は、本実施形態に係るディスプレイ１６０に表示される再生ファイル選択画面Ｗ１０の一例を示す図である。この図１２に示すように、再生ファイル選択画面Ｗ１０には、ユーザが選択したフォルダにあるファイルのファイル名が一覧表示される。すなわち、この再生ファイル選択画面Ｗ１０は、通常のファイル操作画面と同様の表示態様である。この再生ファイル選択画面Ｗ１０で表示されるファイル名に基づいて、ユーザは、再生したいファイルをカーソルＣＲを操作して選択する。ここでは、ユーザは、ファイル名「ａａａ０３．ｍｐ３」を選択したと仮定する。
【００６５】
このため、再生機器１２０は、再生ファイル選択画面Ｗ１０を表示した後、ユーザが１つのファイルを選択したかどうかを判断し（ステップＳ２０２）、選択をしていない場合（ステップＳ２０２：ＮＯ）には、このステップＳ２０２の処理を繰り返して待機する。
【００６６】
ユーザが１つのファイルを選択した場合（ステップＳ２０２：ＹＥＳ）には、再生機器１２０は、再生曲リストＴＢ２０を作成する（ステップＳ２０４）。図１３は、本実施形態で作成される再生曲リストＴＢ２０の一例を示す図である。この図１３からも分かるように、本実施形態においては、ユーザが選択したファイルのファイル名が、再生曲リストＴＢ２０の先頭に登録される。そして、ユーザが選択したファイルがあるフォルダに存在するすべてのファイルが、ユーザの選択したファイルの後に追加で登録される。すなわち、「未登録」のフォルダにあるすべてのファイルのファイル名が、再生曲リストＴＢ２０に追加で登録される。このため、ユーザが選択したファイルの再生が終了しても、この再生曲リストＴＢ２０に基づいて、同じフォルダにあるファイルの再生が自動的に始まるようになる。
【００６７】
次に、図１１に示すように、再生機器１２０は、登録対象リストＴＢ１０を作成する（ステップＳ２０６）。すなわち、再生機器１２０は、「未登録」のフォルダを検索して、この「未登録」のフォルダにあるファイルをすべて抽出して、そのファイル名などを登録対象リストＴＢ１０に登録する。ここで作成される登録対象リストＴＢ１０は、図５に示したものと同様となる。
【００６８】
次に、図１１に示すように、再生機器１２０は、再生処理と付帯情報リスト作成処理とを起動する（ステップＳ２０８）。本実施形態において実行される再生処理と付帯情報リスト作成処理は、上述した第１実施形態と同様である。
【００６９】
すなわち、図７に示した再生処理が起動され、再生曲リストＴＢ２０に格納されているファイルの再生が順次行われる。また、図８に示した付帯情報リスト作成処理が起動され、この再生処理をしている間におけるＣＰＵ１５０の空き時間で、付帯情報リストが作成される。これにより、図９に示した付帯情報リストＴＢ３０が作成される。
【００７０】
以上のように、本実施形態に係る再生機器１２０によっても、新たにセンター機器１１０から再生機器１２０に転送した付帯情報つきコンテンツデータが、付帯情報リストＴＢ３０に登録されていなくとも、再生を開始することができるようになる。このため、ユーザの利便性を向上させて、イライラ感を減少させることができる。
【００７１】
しかも、ユーザは、ファイル選択画面Ｗ１０において、一番始めに再生する曲を選択することができるので、ユーザが最も再生したいと考えている曲から再生をすることができるようになる。
【００７２】
なお、本実施形態においては、ユーザが再生ファイル選択画面Ｗ１０で選択できるファイルの数が１つであるが、この選択できるファイルの数は任意に変更可能であり、複数のファイルをユーザが選択できるようにしてもよい。
【００７３】
〔第３実施形態〕
第３実施形態は、上述した第１実施形態を変形して、再生曲リストＴＢ２０及び付帯情報リストＴＢ３０を作成しながら、再生処理を行うようにしたものである。以下、上述した第１実施形態と異なる部分を説明する。
【００７４】
図１４は、本実施形態に係る付帯情報リスト作成処理の内容を説明するフローチャートを示す図である。この図１４に示す付帯情報リスト作成処理は、センター機器１１０から音楽ファイルの転送を終了した後に、ユーザが、付帯情報リストＴＢ３０の作成されていない音楽データの再生を、再生機器１２０に指示した場合に起動される処理である。
【００７５】
また、本実施形態においては、この再生起動処理は、ＲＯＭ１５４又はハードディスクドライブ１５６に格納された付帯情報リスト作成プログラムをＣＰＵ１５０が読み込んで実行することにより、実現される処理である。
【００７６】
図１４に示すように、この付帯情報リスト作成処理が実行されると、まず、付帯情報リストに未登録の付帯情報つきコンテンツデータがあるかどうかを判断する（ステップＳ３００）。すなわち、再生機器１２０は、「未登録」のフォルダに、付帯情報つきコンテンツデータが１つでも存在するかどうかを判断する。
【００７７】
このステップＳ３００において、未登録の付帯情報つきコンテンツデータがないと判断した場合（ステップＳ３００：ＮＯ）には、ユーザに、未登録の付帯情報つきコンテンツデータがない旨を、音声や画面表示で通知して（ステップＳ３０２）、この付帯情報リスト作成処理を終了する。
【００７８】
一方、未登録の付帯情報つきコンテンツデータがあると判断した場合（ステップＳ３００：ＹＥＳ）には、未登録の付帯情報つきコンテンツデータを１つ選択する（ステップＳ３０４）。すなわち、「未登録」のフォルダに格納されているファイルを１つ選択する。例えば、本実施形態においては、ファイル名を昇順に並べた場合の先頭のファイルを選択する。
【００７９】
次に、再生機器１２０は、選択した付帯情報つきコンテンツデータの内容を解析して、これに含まれている付帯情報を取得して、付帯情報リストＴＢ３０に登録する（ステップＳ３０６）。
【００８０】
次に、再生機器１２０は、選択した付帯情報つきコンテンツデータのファイルを、「未登録」のフォルダから、「登録済み」のフォルダに移動する（ステップＳ３０８）。すなわち、「未登録」のフォルダからは、選択した付帯情報つきコンテンツデータのファイルは削除される。
【００８１】
次に、再生機器１２０は、選択した付帯情報つきコンテンツデータを、再生曲リストＴＢ２０に登録する（ステップＳ３１０）。これにより、図１５に示すような再生曲リストＴＢ２０が作成される。すなわち、選択した付帯情報つきコンテンツデータのファイルパスが１つだけ格納された再生曲リストＴＢ２０が、作成される。
【００８２】
ここで、ファイルパスは、「登録済み」のフォルダに格納されている付帯情報つきコンテンツデータのファイルを特定するための情報の一例である。したがって、このファイルを特定するための情報は、ファイルパスに限るものではなく、例えば「番号」により代用することもできる。
【００８３】
次に、再生曲リストＴＢ２０は、再生処理が既に起動されているかどうかを判断する（ステップＳ３１２）。再生処理が起動されていない場合（ステップＳ３１２：ＮＯ）には、再生処理を起動する（ステップＳ３１４）。一方、再生処理が起動されている場合（ステップＳ３１２：ＹＥＳ）には、このステップＳ３１４の処理をパスする。すなわち、ステップＳ３１４は、この付帯情報リスト作成処理が起動された場合に、最初に１度だけ実行される処理である。
【００８４】
次に、再生機器１２０は、未登録の付帯情報つきコンテンツデータがまだあるかどうかを判断する（ステップＳ３１６）。すなわち、「未登録」のフォルダに、ファイルが存在するかどうかを判断する。
【００８５】
未登録の付帯情報つきコンテンツデータがまだある場合（ステップＳ３１６：ＹＥＳ）には、上述したステップＳ３０４からを繰り返す。すなわち、次の未登録の付帯情報つきコンテンツデータを選択し、付帯情報を取得して付帯情報リストＴＢ３０に登録するとともに、再生曲リストＴＢ２０に登録する処理を繰り返す。この処理で、図１６に示すように、再生曲リストＴＢ２０に、次の付帯情報つきコンテンツデータを特定する情報が登録される。この処理を未登録の付帯情報つきコンテンツデータがなくなるまで繰り返す。
【００８６】
すなわち、ステップＳ３１６において、未登録の付帯情報つきコンテンツデータがないと判断した場合（ステップＳ３１６：ＮＯ）には、この付帯情報リスト作成処理を終了する。この付帯情報リスト作成処理が終了した時点では、すべての付帯情報つきコンテンツデータを特定する情報の登録された再生曲リストＴＢ２０が、作成されていることとなる。
【００８７】
再生処理については、上述した第１実施形態と基本的には同様である。但し、本実施形態においては、再生するファイルは、「登録済み」のフォルダに格納されているので、再生機器１２０は、再生に必要な付帯情報つきコンテンツデータを、「登録済み」のフォルダから読み出して、再生処理を行う。
【００８８】
図１７は、本実施形態に係る再生機器１２０で実行される調停処理について説明するためのフローチャートを示す図である。この調停処理は、再生処理と付帯情報リスト作成処理とが同時に再生曲リストＴＢ２０にアクセスして、再生曲リストＴＢ２０に論理不整合が生じないようにするための処理である。
【００８９】
この図１７に示す調停処理は、ＲＯＭ１５４又はハードディスクドライブ１５６に格納された調停プログラムをＣＰＵ１５０が読み込んで実行することにより、実現される処理である。また、本実施形態においては、この調停処理は、図１４に示した付帯情報リスト作成処理と同時に起動され、この付帯情報リスト作成処理と並行して実行されて、付帯情報リスト作成処理が終了すると、これに伴い終了する処理である。
【００９０】
図１７に示すように、調停処理が起動されると、まず、付帯情報リスト作成処理から、再生曲リストＴＢ２０にアクセスの要求があったかどうかを判断する（ステップＳ３２０）。すなわち、図１４のステップＳ３１０の処理が実行されて、選択した付帯情報つきコンテンツデータのファイルを、再生曲リストＴＢ２０に登録するためのアクセス要求があったかどうかを判断する。
【００９１】
付帯情報リスト作成処理から再生曲リストＴＢ２０にアクセス要求があった場合（ステップＳ３２０：ＹＥＳ）には、再生処理が再生曲リストＴＢ２０にアクセスしていないかどうかを判断する（ステップＳ３２２）。再生処理が再生曲リストＴＢ２０にアクセスしている場合（ステップＳ３２２：ＮＯ）には、このステップＳ３２２の処理を繰り返して待機する。
【００９２】
一方、再生処理が再生曲リストＴＢ２０にアクセスしていない場合（ステップＳ３２２：ＹＥＳ）には、再生機器１２０は、付帯情報リスト作成処理に再生曲リストＴＢ２０へのアクセスを認める（ステップＳ３２４）。具体的には、図１４のステップＳ３１０の処理において、選択した付帯情報つきコンテンツデータのファイルを、再生曲リストＴＢ２０に登録すること認め、これにより、付帯情報リスト作成処理による再生曲リストＴＢ２０への登録がなされる。このステップＳ３２４の処理の後、上述したステップＳ３２０の処理に戻る。
【００９３】
これに対して、上述したステップＳ３２０で、付帯情報リスト作成処理から再生曲リストＴＢ２０にアクセスする要求がなかったと判断した場合（ステップＳ３２０：ＮＯ）には、再生機器１２０は、再生処理から再生曲リストＴＢ２０にアクセスする要求があったかどうかを判断する（ステップＳ３２６）。図７のステップＳ１２０の処理が実行されて、再生する曲を１曲選択するために、再生曲リストＴＢ２０にアクセスする要求がなされたかどうかを判断する。
【００９４】
再生処理から再生曲リストＴＢ２０にアクセスする要求がなかった場合（ステップＳ３２６：ＮＯ）には、上述したステップＳ３２０の処理に戻る。
【００９５】
一方、再生処理から再生曲リストＴＢ２０にアクセスする要求があった場合（ステップＳ３２６：ＹＥＳ）には、付帯情報リスト作成処理が再生曲リストＴＢ２０にアクセスしていないかどうかを判断する（ステップＳ３２８）。付帯情報リスト作成処理が再生曲リストＴＢ２０にアクセスしている場合（ステップＳ３２８：ＮＯ）には、このステップＳ３２８の処理を繰り返して待機する。
【００９６】
一方、付帯情報リスト作成処理が再生曲リストＴＢ２０にアクセスしていない場合（ステップＳ３２８：ＹＥＳ）には、再生機器１２０は、再生処理に再生曲リストＴＢ２０へのアクセスを認める（ステップＳ３３０）。具体的には、図７のステップＳ１２０の処理において、再生曲リストＴＢ２０にアクセスして、再生曲リストＴＢ２０に登録されているファイルを検索することを認め、これにより、次に再生する曲が１曲選択される。このステップＳ３３０の処理の後、上述したステップＳ３２０の処理に戻る。
【００９７】
以上のように、本実施形態に係る再生機器１２０によっても、新たにセンター機器１１０から再生機器１２０に転送した付帯情報つきコンテンツデータが、付帯情報リストＴＢ３０に登録されていなくとも、再生を開始することができるようになる。このため、ユーザの利便性を向上させて、イライラ感を減少させることができる。
【００９８】
しかも、再生処理においては、登録済みの付帯情報つきコンテンツデータのみを生成することとしたので、付帯情報リスト作成処理で起動される再生処理を、未登録の付帯情報つきコンテンツデータがない場合に実行される通常の再生処理と同じ処理にすることができる。
【００９９】
なお、本発明は上記実施形態に限定されず種々に変形可能である。例えば、図１に示したセンター機器１１０と再生機器１２０の内部構成は、一例に過ぎず、この図１に示されている以外の内部構成であってもよい。
【０１００】
また、上記実施形態におけるハードディスクドライブ１３６、１５６は、付帯情報つきコンテンツデータのファイルが格納される格納手段の一例であり、ハードディスクドライブ以外の記憶装置で、この格納手段を構成することも可能である。
【０１０１】
また、上述した付帯情報に含まれている情報には様々なものが想定され、上述したアーティスト名や曲名などの文字情報に限らず、サムネイル画像などの画像情報が含まれている場合もあり得る。
【０１０２】
また、上述した実施形態では、登録対象リストＴＢ１０や、再生曲リストＴＢ２０、付帯情報リストＴＢ３０でファイルを特定するファイル特定情報として、ファイル名やファイルパスを用いることとしたが、このファイル特定情報は、ファイル名やファイルパスに限るものではない。すなわち、ファイルシステムの特徴や処理方法の相違により、様々な情報をファイル特定情報として用いることができ、例えば、ファイルポインタや、ディレクトリエントリ情報、Ｂツリー名などを用いることができる。
【０１０３】
ディレクトリエントリ情報を用いる場合には、このディレクトリエントリ情報は、セクタ番号とセクタ内のバイト数で定義されているので、ＦＡＴの仕様上、このディレクトリエントリ情報は、ファイルの格納位置を直接決定することができるメリットがある。すなわち、ファイル名やファイルパスによりファイルを特定する場合には、これらファイル名やファイルパスから最終的にディレクトリエントリ情報を取得するのであるが、ファイル特定情報としてディレクトリエントリ情報を用いることにより、この動作を省いて、ファイルへのアクセスを高速化することができる。
【０１０４】
また、上述の実施形態で説明した各処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを再生機器１２０に読み込ませ、実行させることにより、上述した実施形態を実現することができる。
【０１０５】
また、再生機器１２０は、オペレーティングシステムや別のアプリケーションプログラム等の他のプログラムを備える場合がある。この場合、再生機器１２０の備える他のプログラムを活用するために、その再生機器１２０が備えるプログラムの中から、上述した実施形態と同等の処理を実現するプログラムを呼び出すような命令を含むプログラムを、記録媒体に記録するようにしてもよい。
【０１０６】
さらに、このようなプログラムは、記録媒体の形ではなく、ネットワークを通じて搬送波として頒布することも可能である。ネットワーク上を搬送波の形で伝送されたプログラムは、再生機器１２０に取り込まれて、このプログラムを実行することにより上述した実施形態を実現することができる。
【０１０７】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ再生機器１２０は、そのプログラムの復号や伸張を行った上で、実行する必要がある。
【０１０８】
さらに、上述した実施形態では、ソフトウェアによるプログラムで各種の処理を実現することとしたが、ＡＳＩＣ（Application Specific IC）などのハードウェアでこれらの処理を実現するようにしてもよい。
【図面の簡単な説明】
【０１０９】
【図１】第１実施形態乃至第３実施形態に係るコンテンツデータ転送システムの構成を説明するための図。
【図２】図１のコンテンツデータ転送システムで転送される付帯情報つきコンテンツデータのデータ構成の一例を示す図。
【図３】第１実施形態に係る再生起動処理の内容を説明するフローチャートを示す図。
【図４】付帯情報つきコンテンツデータ転送後における再生機器のハードディスクドライブのフォルダ構成の一例を示す図。
【図５】図１の再生機器で作成される登録対象リストの構成の一例を示す図。
【図６】図１の再生機器で作成される再生曲リストの一例を示す図。
【図７】第１実施形態に係る再生処理の内容を説明するフローチャートを示す図。
【図８】第１実施形態に係る付帯情報リスト作成処理の内容を説明するフローチャートを示す図。
【図９】図１の再生機器で作成される付帯情報リストの構成の一例を示す図。
【図１０】転送した付帯情報つきコンテンツデータを付帯情報リストに登録した後における再生機器のハードディスクドライブのフォルダ構成の一例を示す図。
【図１１】第２実施形態に係る再生起動処理の内容を説明するフローチャートを示す図。
【図１２】第２実施形態に係る再生機器のディスプレイに表示される再生ファイル選択画面の一例を示す図。
【図１３】第２実施形態に係る再生機器で作成される再生曲リストの構成の一例を示す図。
【図１４】第３実施形態に係る付帯情報リスト作成処理の内容を説明するフローチャートを示す図。
【図１５】第３実施形態に係る再生機器で作成される再生曲リストの構成の一例を示す図（１曲目が登録された状態）。
【図１６】第３実施形態に係る再生機器で作成される再生曲リストの構成の一例を示す図（２曲目が登録された状態）。
【図１７】第３実施形態に係る調停処理の内容を説明するフローチャートを示す図。
【符号の説明】
【０１１０】
１００  コンテンツデータ転送システム
１１０  センター機器
１２０  再生機器
１３０  ＣＰＵ
１３２  ＲＡＭ
１３４  ＲＯＭ
１３６  ハードディスクドライブ
１３８  通信用インターフェース
１５０  ＣＰＵ
１５２  ＲＡＭ
１５４  ＲＯＭ
１５６  ハードディスクドライブ
１５８  通信用インターフェース
１６０  ディスプレイ
１７０  ＵＳＢケーブル
【図１】
2007141374.tif 000003
【図２】
2007141374.tif 000004
【図３】
2007141374.tif 000005
【図４】
2007141374.tif 000006
【図５】
2007141374.tif 000007
【図６】
2007141374.tif 000008
【図７】
2007141374.tif 000009
【図８】
2007141374.tif 000010
【図９】
2007141374.tif 000011
【図１０】
2007141374.tif 000012
【図１１】
2007141374.tif 000013
【図１２】
2007141374.tif 000014
【図１３】
2007141374.tif 000015
【図１４】
2007141374.tif 000016
【図１５】
2007141374.tif 000017
【図１６】
2007141374.tif 000018
【図１７】
2007141374.tif 000019